(57)【要約】【課題】配線本数を最小限に抑えつつ、収容部の開封を精度よく検出することが可能な開封検出シート及び開封検出システムを提供する。【解決手段】開封検出システム１００は、開封検出シート１と、開封検出シート１の開封を検出する開封検出モジュール２と、開封検出モジュール２と通信可能な親機３と、親機３とネットワーク５を介して通信を行うサーバ装置４とを備える。開封検出シート１は、収容部１０に直列に接続された開封検出用抵抗１５Ｘと、これに並列に接続された常時接続抵抗１５Ｙとを１組とし、これらの組が直列に接続された構成を有する。【選択図】図４
2016214732.tif 000002
【特許請求の範囲】
【請求項１】
開封を検出する対象となる収容部が複数形成されたシート本体と、
前記シート本体上に形成された回路部と、を有し、
前記回路部は、前記収容部ごとに、当該収容部の開封に伴って断線する導線に接続する第１抵抗と、当該収容部の開封に伴って断線しない導線に接続する第２抵抗とが並列に接続する単位構成を含み、
前記単位構成の各々は、直列に接続されることを特徴とする開封検出シート。
【請求項２】
前記回路部の合成抵抗は、前記収容部のいずれか１つが開封されるごとに所定値だけ変化することを特徴とする請求項１に記載の開封検出シート。
【請求項３】
前記第１抵抗と前記第２抵抗は、同一の抵抗値を有することを特徴とする請求項１または２に記載の開封検出シート。
【請求項４】
前記回路部には、前記収容部の開封を検出する開封検出モジュールと電気的に接続するための端子が設けられ、
前記単位構成が直列に接続された構造が前記回路部に１つ存在する場合、前記端子の数は２であることを特徴とする請求項１〜３のいずれか一項に記載の開封検出シート。
【請求項５】
前記回路部には、前記収容部の開封を検出する開封検出モジュールと電気的に接続するための端子が設けられ、
前記単位構成が直列に接続された構造が前記回路部に２つ存在する場合、前記端子の数は３であることを特徴とする請求項１〜３のいずれか一項に記載の開封検出シート。
【請求項６】
請求項１〜５のいずれか一項に記載の開封検出シートと、
前記開封検出シートの回路部からの電気信号に基づき、前記回路部の合成抵抗の変化を検出することで、前記収容部の開封を検出する開封検出モジュールと、
を有することを特徴とする開封検出システム。
【請求項７】
前記開封検出モジュールは、前記開封検出シートに対して着脱自在であり、前記開封検出シートに装着された状態で前記回路部と電気的に接続することを特徴とする請求項６に記載の開封検出システム。
【請求項８】
前記開封検出モジュールは、
前記回路部に定電流を供給する定電流源と、
前記回路部の電圧を測定する電圧測定部と、
前記電圧測定部が測定した電圧の変化に基づき、前記収容部の開封を検出する制御部と、を有することを特徴とする請求項６または７に記載の開封検出システム。
【発明の詳細な説明】
【技術分野】
【０００１】
本発明は、収容部の開封を検出する技術に関する。
【背景技術】
【０００２】
従来から、錠剤を収容部内に密封した状態で収容するブリスター包装の収容部の開封を検出する技術が知られている。例えば、特許文献１には、ブリスター包装の収容部の開封に伴って断線する導線が並列に接続され、並列に接続された導線には開封検出用の抵抗が接続されており、収容部が開封されるごとに合成抵抗が変化するように構成された開封検出シートが開示されている。
【先行技術文献】
【特許文献】
【０００３】
【特許文献１】特開２０１３−１６６５９０号公報
【発明の概要】
【発明が解決しようとする課題】
【０００４】
特許文献１の開封検出シートによれば、開封検出用の抵抗が並列接続されていることにより、配線本数が削減されている。一方、この場合、収容部が開封されるごとに変化する開封検出用の抵抗の合成抵抗の変化の幅は、並列数及び収容部の開封数に依存する。具体的には、上述の並列数が大きい場合や開封数が小さい場合には、上述の合成抵抗の変化の幅は相対的に小さくなる。また、開封による上述の合成抵抗の変化が小さい場合には、誤差等に対して脆弱になり、開封検出の信頼性が低くなる。
【０００５】
本発明は、上記のような課題を解決するためになされたものであり、配線本数を最小限に抑えつつ、収容部の開封を精度よく検出することが可能な開封検出シート及び開封検出システムを提供することを主な目的とする。
【課題を解決するための手段】
【０００６】
本発明の１つの観点では、開封検出シートは、開封を検出する対象となる収容部が複数形成されたシート本体と、前記シート本体上に形成された回路部と、を有し、前記回路部は、前記収容部ごとに、当該収容部の開封に伴って断線する導線に接続する第１抵抗と、当該収容部の開封に伴って断線しない導線に接続する第２抵抗とが並列に接続する単位構成を含み、前記単位構成の各々は、直列に接続される。
【０００７】
上記開封検出シートは、シート本体と、回路部とを有する。シート本体には、開封を検出する対象となる収容部が複数形成されている。回路部は、シート本体上に形成され、収容部ごとに、当該収容部の開封に伴って断線する導線に接続する第１抵抗と、当該収容部の開封に伴って断線しない導線に接続する第２抵抗とが並列に接続する単位構成を含む。そして、単位構成は、直列に接続されている。この構成では、収容部が開封されるごとに、当該収容部に対応する第１抵抗の導線が断線され、対応する単位構成では並列関係が解消して第２抵抗のみが接続された状態となる。従って、この場合、開封された収容部に対応する単位構成の抵抗の変化分だけ回路部全体の合成抵抗が変化する。また、開封検出シートでは、各単位構成は、直列に接続されているため、配線数が最小限となる。よって、上述の開封検出シートの構成によれば、配線本数を最小限に抑えつつ、回路部の合成抵抗を収容部の開封に伴って好適に変化させることができる。
【０００８】
上記開封検出シートの一態様では、前記回路部の合成抵抗は、前記収容部のいずれか１つが開封されるごとに所定値だけ変化する。これにより、開封検出シートは、回路部の合成抵抗を、収容部の開封に伴って好適に変化させ、開封検出の信頼性を好適に高めることができる。
【０００９】
上記開封検出シートの他の一態様では、前記第１抵抗と前記第２抵抗は、同一の抵抗値を有する。ここで、「同一」とは、物理的に同一な値であることはもちろん、実質的に同一（即ち略同一）の値である場合も含む概念である。この態様により、回路部の合成抵抗を、収容部が開封されるごとに、上述の抵抗値の１／２ずつ均等に変化させることができる。
【００１０】
上記開封検出シートの他の一態様では、前記回路部には、前記収容部の開封を検出する開封検出モジュールと電気的に接続するための端子が設けられ、前記単位構成が直列に接続された構造が前記回路部に１つ存在する場合、前記端子の数は２である。
【００１１】
上記開封検出シートの他の一態様では、前記回路部には、前記収容部の開封を検出する開封検出モジュールと電気的に接続するための端子が設けられ、前記単位構成の各々が直列に接続された構造が前記回路部に２つ存在する場合、前記端子の数は３である。
【００１２】
このように、各単位構成が直列に接続されている構成では、配線数が最小限になることにより、開封検出モジュールと接続するための端子数が少ない。よって、上記開封検出シートによれば、端子数が多い場合と比較して、誤検出を低減することができると共に、開封検出モジュールを着脱する際の耐久性を向上させることができる。また、一般に、端子数が多いほど、開封検出モジュールとの位置合わせが困難になるため、上記開封検出シートは、端子数が多い場合と比較して設計裕度が広い。
【００１３】
本発明の他の観点では、開封検出システムは、上記いずれかに記載の開封検出シートと、前記開封検出シートの回路部からの電気信号に基づき、前記回路部の合成抵抗の変化を検出することで、前記収容部の開封を検出する開封検出モジュールと、を有する。この態様では、開封検出システムは、上記の開封検出シートの回路部からの電気信号に基づき、収容部の開封に伴う回路部の合成抵抗の変化を検出することで、好適に収容部の開封を検出することができる。
【００１４】
上記開封検出システムの一態様では、前記開封検出モジュールは、前記開封検出シートに対して着脱自在であり、前記開封検出シートに装着された状態で前記回路部と電気的に接続する。この態様により、１つの開封検出シートが使用済みとなった場合であっても、他の開封検出シートに対して開封検出モジュールを装着させて使用することができる。
【００１５】
上記開封検出システムの他の態様では、前記開封検出モジュールは、前記回路部に定電流を供給する定電流源と、前記回路部の電圧を測定する電圧測定部と、前記電圧測定部が測定した電圧の変化に基づき、前記収容部の開封を検出する制御部と、を有する。この態様では、開封検出モジュールは、回路部に対して定電流を流すことにより、回路部の合成抵抗に比例した電圧を計測することができる。よって、この場合、開封検出モジュールは、回路部の合成抵抗の変化を好適に検出し、収容部の開封を精度よく検出することができる。
【発明の効果】
【００１６】
本発明に係る開封検出シートによれば、配線本数を最小限に抑えつつ、回路部の合成抵抗を、収容部の開封に伴って好適に変化させることができる。
【図面の簡単な説明】
【００１７】
【図１】実施形態に係る開封検出システムの構成を示す。
【図２】開封検出シートの断面図を示す。
【図３】開封検出モジュールの構成を示す。
【図４】開封検出シートの回路部の概要図である。
【図５】収容部が２つであった場合の開封検出シート及び開封検出モジュールの回路構成を示す。
【図６】比較例における開封検出シート及び開封検出モジュールの回路構成を示す。
【図７】変形例に係る開封検出シートの回路部の概要図である。
【発明を実施するための形態】
【００１８】
以下、図面を参照しながら、本発明を実施するのに好適な実施形態について説明する。
【００１９】
［開封検出システムの構成］
図１は、本実施形態に係る開封検出システム１００の構成を示す。開封検出システム１００は、主に、錠剤用ブリスター包装である開封検出シート１と、開封検出シート１の収容部１０の開封を検出する開封検出モジュール２と、開封検出モジュール２と通信可能な親機３と、親機３とネットワーク５を介して通信を行うサーバ装置４とを備える。
【００２０】
開封検出シート１は、錠剤が１錠ずつ収容された複数の収容部１０を有する。図１において図示されない開封検出シート１の裏面には、各収容部１０の開封を検出するための導線や抵抗などを含む後述の回路部が形成される。開封検出シート１の長手方向の一端である接続側端部１９の図示しない裏面には、回路部の端子が露出している。
【００２１】
開封検出モジュール２は、開閉自在に構成される。開封検出モジュール２の接続部２０は、開封検出モジュール２が開封検出シート１の接続側端部１９を所定の位置で挟んだ状態において、開封検出シート１の回路部と電気的に接続する。この状態において、開封検出モジュール２は、収容部１０の開封を電圧の変化により検出する。また、開封検出モジュール２には、突起部２１と嵌合部２２とが形成され、開封検出モジュール２が閉じた状態において、突起部２１が嵌合部２２に嵌め込まれて係止する。また、開封検出モジュール２は、Ｂｌｕｅｔｏｏｔｈ（登録商標）により親機３と通信を行う通信機能を有する。そして、開封検出モジュール２は、所定のタイミングにおいて、収容部１０の開封に関する情報（「開封情報」とも呼ぶ。）を親機３に送信する。
【００２２】
親機３は、開封検出シート１の錠剤の服用者や医療機関等が所有する携帯電話などの端末であり、Ｂｌｕｅｔｏｏｔｈ（登録商標）などにより開封検出モジュール２から開封情報を受信する。そして、親機３は、開封検出モジュール２から受信した開封情報を、ネットワーク５を介してサーバ装置４へ送信する。この場合、好適には、親機３は、開封検出シート１又は開封検出モジュール２の使用者（即ち錠剤の服用者）を表すユーザＩＤを、開封情報に含めてサーバ装置４へ送信する。なお、親機３に代えて、開封検出モジュール２が錠剤の服用者を示すユーザＩＤを開封情報に付加してもよい。
【００２３】
サーバ装置４は、親機３から受信する開封情報に基づくデータベースを記憶する。この場合、サーバ装置４は、例えば、開封情報に含まれるユーザＩＤごとに、収容部１０の開封数（即ち錠剤の服用数）に関する情報を上述のデータベースに記録する。
【００２４】
なお、図１に示す開封検出システム１００の構成は、一例であり、本発明が適用可能な構成はこれに限定されない。例えば、サーバ装置４は、無線ＬＡＮなどを介して開封検出モジュール２から開封情報を直接受信してもよい。この場合、開封検出システム１００は、親機３を有しなくともよい。また、親機３は、医療機関が所有する端末である場合、携帯可能な端末でなくともよい。
【００２５】
［開封検出シートの構成］
図２は、図１の矢印付き破線Ｌ１に沿った開封検出シート１の断面図を示す。図２の開封検出シート１は、上から順に、プラスチック製の収容シート１１と、不導体であるカバーシート１２と、導線や抵抗などの導電体である回路部１３と、不導体であるベース部１４とが積層されている。収容シート１１には、錠剤９を収容するための窪みが形成され、当該窪みを密封するようにカバーシート１２が貼り付けられている。これにより、錠剤９を封止する収容部１０が形成される。さらに、カバーシート１２には、ベース部１４上に形成された回路部１３が貼り付けられて固定されている。
【００２６】
図２の構成では、収容部１０のいずれかが押しつぶされると、収容シート１１の窪みを覆っていたカバーシート１２、回路部１３、及びベース部１４の各部分が錠剤９により破られて当該収容部１０が開封状態となる。この場合、開封状態になった収容部１０と重なる位置に存在する回路部１３の導線が断線し、当該導線に接続していた抵抗（「開封検出用抵抗」とも呼ぶ。）が通電しなくなり、回路部１３の合成抵抗が変化する。回路部１３の構成については、［回路部の構成］のセクションで詳しく説明する。
【００２７】
［開封検出モジュールの構成］
図３は、開封検出モジュール２のブロック構成図を示す。図３に示すように、開封検出モジュール２は、主に、通信部２１と、電源部２２と、電圧検出部２３と、記憶部２４と、制御部２５とを有する。
【００２８】
通信部２１は、制御部２５の制御に基づき、親機３とＢｌｕｅｔｏｏｔｈ（登録商標）などに準拠した無線通信を行う。本実施例では、通信部２１は、制御部２５の制御に基づき、所定のタイミングで、記憶部２４に記憶された開封情報を親機３に送信する。
【００２９】
電源部２２は、開封検出モジュール２の各要素に対して電源供給を行う。また、本実施例では、電源部２２は、定電流源２５を有する。定電流源２５は、回路部１３と接続部２０とが電気的に接続した状態で、開封検出シート１の回路部１３に対して定電流を供給する。
【００３０】
電圧検出部２３は、Ａ／Ｄコンバータ２６を有し、回路部１３と接続部２０とが電気的に接続した状態で、開封検出シート１の回路部１３の電圧を検出し、検出した電圧（「検出電圧Ｅｓ」とも呼ぶ。）の情報を制御部２５に供給する。
【００３１】
記憶部２４は、例えば不揮発性メモリを含む。本実施例では、記憶部２４は、制御部２５が収容部１０の開封を検出するのに必要な情報を記憶する。例えば、記憶部２４は、収容部１０の開封数と検出電圧Ｅｓとの関係を示す情報、又は、収容部１０が開封されたか否か判定するための検出電圧Ｅｓの変化に対する閾値などを記憶する。また、記憶部２４は、制御部２５が生成した開封情報を記憶する。
【００３２】
制御部２５は、図示しないＣＰＵ（Ｃｅｎｔｒａｌ  Ｐｒｏｃｅｓｓｉｎｇ  Ｕｎｉｔ）などを備え、開封検出モジュール２の全体の制御を行う。本実施例では、制御部２５は、電圧検出部２３が検出した検出電圧Ｅｓに基づき、収容部１０の開封を検出する。そして、制御部２５は、収容部１０の開封を検出した場合、検出した時刻情報等を含む開封情報を記憶部２４に記憶し、所定のタイミングにおいて親機３へ送信する。
【００３３】
［回路部の構成］
図４は、開封検出シート１の回路部１３の概要図である。図４では、各収容部１０Ａ〜１０Ｌ（１０）の位置についても明示している。図４は、左側の６個の収容部１０Ａ〜１０Ｆと、右側の６個の収容部１０Ｇ〜１０Ｌとをそれぞれ１組の検出対象とする例を示す。
【００３４】
図４の例では、各収容部１０Ａ〜１０Ｌには、開封検出用抵抗１５Ｘと、常時接続抵抗１５Ｙとが導線により並列に接続された状態で形成されている。図４の例では、開封検出用抵抗１５Ｘは、収容部１０と重なる位置に設けられている。また、常時接続抵抗１５Ｙは、開封検出用抵抗１５Ｘに並列に接続され、収容部１０と重ならない位置に設けられている。以後では、導線により並列に接続された開封検出用抵抗１５Ｘ及び常時接続抵抗１５Ｙの組を、「回路部１３の単位構成」とも呼ぶ。好適には、全ての開封検出用抵抗１５Ｘ及び常時接続抵抗１５Ｙは、同一の抵抗値である。開封検出用抵抗１５Ｘは、本発明における「第１抵抗」の一例であり、常時接続抵抗１５Ｙは、本発明における「第２抵抗」の一例である。
【００３５】
そして、左側にある収容部１０Ａ〜１０Ｆごとに設けられた回路部１３の単位構成である開封検出用抵抗１５Ｘ及び常時接続抵抗１５Ｙの組は、導線３０Ｌにより直列に接続されている。同様に、右側にある収容部１０Ｇ〜１０Ｌごとに設けられた回路部１３の単位構成である開封検出用抵抗１５Ｘ及び常時接続抵抗１５Ｙの組は、導線３０Ｒにより直列に接続されている。このように、図４の例では、回路部１３の単位構成が直列に接続された構造が回路部１３内に２つ存在する。導線３０Ｌ、３０Ｒは、接続側端部１９と反対側の開封検出シート１の端において、導線３０Ｃと接続している。そして、導線３０Ｌの一端である接続用端子３０ＬＴ、導線３０Ｒの一端である接続用端子３０ＲＴ、及び導線３０Ｃの一端である接続用端子３０ＣＴは、接続側端部１９上に形成される。そして、開封検出モジュール２に接続側端子１９が挟まれた状態で、接続用端子３０ＬＴ及び接続用端子３０ＲＴは、定電流源２５から定電流が供給される。また、接続用端子３０ＣＴは基準電位点となる。
【００３６】
この構成によれば、任意の収容部１０が開封された場合、開封された収容部１０と重なる位置に設けられた導線が断線し、当該導線に対して直列接続する開封検出用抵抗１５Ｘが非通電状態となる。従って、この場合、開封された収容部１０に対応する開封検出用抵抗１５Ｘ及び常時接続抵抗１５Ｙの並列関係は解消し、常時接続抵抗１５Ｙのみが直列に接続された状態となる。この場合、開封後の収容部１０に対応する単位構成の抵抗値（即ち常時接続抵抗１５Ｙの抵抗値）は、開封前の抵抗値（即ち抵抗１５Ｘ、１５Ｙの合成抵抗）よりも大きくなる。よって、左側の収容部１０Ａ〜１０Ｆのいずれかが開封された場合、導線３０Ｌに接続する全ての抵抗１５Ｘ、１５Ｙに対する合成抵抗（「左側合成抵抗」とも呼ぶ。）は、開封前よりも大きくなる。同様に、右列の収容部１０Ｇ〜１０Ｌのいずれかが開封された場合、導線３０Ｒに設けられた全ての抵抗１５Ｘ、１５Ｙに対する合成抵抗（「右側合成抵抗」とも呼ぶ。）は、開封前よりも大きくなる。
【００３７】
以上を勘案し、開封検出モジュール２が開封検出シート１の回路部１３と電気的に接続するように接続側端部１９を挟持した状態で、開封検出モジュール２の制御部２５は、電源部２２により端子３０ＬＴから導線３０Ｌに電流を流し、導線３０Ｌに接続したＡ／Ｄコンバータ２６が検出する検出電圧Ｅｓ（「左側検出電圧ＥｓＬ」とも呼ぶ。）を監視する。そして、制御部２５は、左側検出電圧ＥｓＬが所定の閾値以上変化した場合、左側の収容部１０Ａ〜１０Ｆのいずれかが開封されたと判断する。即ち、この場合、制御部２５は、開封に伴って左側の収容部１０Ａ〜１０Ｆに対応する左側合成抵抗の上昇に起因して左側検出電圧ＥｓＬが変化したと判断する。なお、開封検出モジュール２の制御部２５は、左側の収容部１０Ａ〜１０Ｆの開封数と左側検出電圧ＥｓＬとの関係を示すマップ等が記憶部２４に記憶されている場合、当該マップ等を参照することで、現在の左側の収容部１０Ａ〜１０Ｆの開封数を認識してもよい。
【００３８】
同様に、開封検出モジュール２の制御部２５は、電源部２２により端子３０ＲＴから導線３０Ｒに電流を供給し、導線３０Ｒに接続したＡ／Ｄコンバータ２６が検出する検出電圧Ｅｓ（「右側検出電圧ＥｓＲ」とも呼ぶ。）を監視する。そして、開封検出モジュール２は、例えば、右側検出電圧ＥｓＲが所定の閾値以上変化した場合、右側の収容部１０Ｇ〜１０Ｌのいずれかが開封されたと判断する。
【００３９】
また、本実施例では、開封検出モジュール２の制御部２５は、導線３０Ｌに定電流源２５から定電流を供給することで、左側検出電圧ＥｓＬを左側合成抵抗に比例させる。同様に、開封検出モジュール２は、導線３０Ｒに定電流源２５から定電流を供給することで、右側検出電圧ＥｓＲを右側合成抵抗に比例させる。これにより、［開封検出の例］のセクションで説明するように、開封検出モジュール２は、高精度に収容部１０の開封を検出することが可能である。
【００４０】
［開封検出の例］
図５は、開封を検出する対象となる収容部１０が２個であった場合の開封検出シート１及び開封検出モジュール２の回路図の一例である。図５の例では、開封検出モジュール２は、定電流を開封検出シート１に供給するための定電流源２５と、電圧を測定するためのＡ／Ｄコンバータ２６とを有する。そして、図５の例では、回路部１３は、収容部１０ａと重なる位置の導線に接続する開封検出用抵抗１５Ｘａ及び当該開封検出用抵抗１５Ｘａと並列に接続する常時接続抵抗１５Ｙａを含む単位構成と、収容部１０ｂと重なる位置の導線に接続する開封検出用抵抗１５Ｘｂ及び当該開封検出用抵抗１５Ｘｂと並列に接続する常時接続抵抗１５Ｙｂを含む単位構成とを含む。そして、これらの単位構成は直列に接続されている。
【００４１】
ここで、回路部１３に設けられた各抵抗（図５では抵抗１５Ｘａ、１５Ｘｂ、１５Ｙａ、１５Ｙｂ）の抵抗値を同一の「Ｒ」とし、「Ｎ」を検出対象の収容部１０の数（図５では２）、「ｎ」を開封された収容部１０の数（図５では０≦ｎ≦２）とすると、開封検出シート１の回路部１３の合成抵抗「Ｒｎ」は、以下の式（１）により表される。
Ｒｎ＝０．５Ｒ・（Ｎ−ｎ）＋Ｒ・ｎ    （１）
【００４２】
そして、式（１）によれば、合成抵抗Ｒｎは、開封数ｎが１つ増えるごとに、「０．５Ｒ」上昇することになる。また、図５の構成例のように、定電流源１６により定電流「Ｉ」を流した場合、オームの法則により、開封検出シート１に印加される電圧（即ちＡ／Ｄコンバータ２６が出力する検出電圧Ｅｓ）は、合成抵抗Ｒｎに比例する。よって、この場合、開封数ｎが１つ増えるごとに、Ａ／Ｄコンバータ２６が出力する検出電圧Ｅｓが所定値だけ増える。
【００４３】
よって、例えば、開封検出モジュール２の記憶部２４は、開封数ｎが１つ増えるごとに増加する上述の所定値を、検出電圧Ｅｓの変化量に対する閾値として予め記憶しておく。これにより、制御部２５は、検出電圧Ｅｓに基づき、好適に開封数ｎを算出することができる。他の例では、記憶部２４は、式（１）に基づく開封数ｎと検出電圧Ｅｓとの関係を示すマップ等を予め記憶しておき、制御部２５は、当該マップ等を参照することで、検出電圧Ｅｓに基づき開封数ｎを算出する。なお、図４の構成例では、制御部２５は、「Ｎ＝６」となる左側の収容部１０Ａ〜１０Ｆの開封数ｎを左側検出電圧ＥｓＬに基づき認識すると共に、「Ｎ＝６」となる右側の収容部１０Ｇ〜１０Ｌの開封数ｎを右側検出電圧ＥｓＲに基づき認識する。
【００４４】
次に、本実施例の効果について、図６の比較例を参照して補足説明する。図６は、比較例に係る開封検出シート１Ａの開封を検出する電気回路を示す。図６の開封検出シート１Ａは、収容部１０の開封ごとに断線する抵抗を並列に接続した回路部１３Ａを含む。
【００４５】
図６に示す比較例では、収容部１０ａと重なる導線に接続する開封検出用抵抗１５Ｘａと、収容部１０ｂと重なる導線に接続する開封検出用抵抗１５Ｘｂとが並列に接続している。そして、開封検出モジュール２は、定電流源２５により開封検出シート１に対して電流を供給すると共に、Ａ／Ｄコンバータ２６により開封検出シート１の電圧Ｅｓを測定する。
【００４６】
図６に示すように、収容部１０の開封ごとに断線する抵抗を収容部１０ごとに設けてこれらを並列に接続した場合、開封検出シート１の合成抵抗Ｒｎは、開封数ｎが増えるごとに大きくなる。具体的には、収容部１０ごとに設ける各抵抗（図６では抵抗１５Ｘａ、１５Ｘｂ）の抵抗値を同一のＲとした場合、合成抵抗Ｒｎは、以下の式（２）により表される。
Ｒｎ＝Ｒ／（Ｎ−ｎ）      式（２）
【００４７】
よって、図６に示す比較例の構成によっても、開封数ｎに応じてＡ／Ｄコンバータ２６が検出する電圧Ｅｓが変化し、かつ、開封検出用抵抗１５Ｘの並列化により、開封検出モジュール２と接続させる必要がある回路部１３Ａの導線の数が削減されている。一方、図６の比較例では、実施例の場合と異なり、式（２）から把握されるように、収容部１０の個数Ｎが大きいほど、かつ、開封数ｎが小さいほど、開封数ｎが１増えるごとに上昇する合成抵抗Ｒｎの変化が小さくなる。例えば、「Ｎ＝１０」とし、開封数ｎが「０」から「１」へ変化した場合の合成抵抗Ｒｎの上昇幅は、式（２）に基づき、「Ｒ／９０」（＝Ｒ／９−Ｒ／１０）となる。この場合、開封に伴う合成抵抗Ｒｎ及び検出電圧Ｅｓの変化が小さいため、開封の検出が困難となる。このように、比較例では、収容部１０の個数Ｎ及び開封数ｎによっては、開封時の合成抵抗Ｒｎの変化が小さくなり、開封を適切に検出できない可能性がある。
【００４８】
以上を勘案し、本実施例に係る開封検出シート１は、開封数ｎが１つ増えるごとに増加する合成抵抗Ｒｎの上昇幅が一定となるように構成され、かつ、合成抵抗Ｒｎと検出電圧Ｅｓとが比例するように回路部１３に定電流が供給される。これにより、本実施例では、収容部１０の個数Ｎ及び開封数ｎによらず、開封数ｎが１つ増えるごとに回路部１３の電圧が一定幅ごとに変化する。よって、開封検出モジュール２は、収容部１０の個数Ｎ及び開封数ｎによらず、収容部１０の開封を的確に検出することができる。
【００４９】
［開封検出システムの作用効果］
本実施形態に係る開封検出システム１００では、開封検出シート１は、収容部１０に直列に接続された開封検出用抵抗１５Ｘと、これに並列に接続された常時接続抵抗１５Ｙとを単位構成とし、これらの単位構成が直列に接続された構成を有する。この構成によれば、開封検出シート１と開封検出モジュール２とを接続させる配線数を最小限に抑制しつつ、収容部１０の開封に伴う開封検出シート１の合成抵抗の変化幅を略均一にして収容部１０の開封検出を精度よく実行することができる。
【００５０】
［変形例］
次に、本実施形態の変形例について説明する。以下の変形例は、任意に組み合わせて上述の実施形態に適用してもよい。
【００５１】
（変形例１）
図１に示す開封検出システム１００では、開封検出シート１と開封検出モジュール２とは分離可能に構成されていた。これに代えて、開封検出モジュール２は、開封検出シート１の一部として開封検出シート１と一体に構成されていてもよい。即ち、開封検出モジュール２は、開封検出シート１と共に廃棄される使い捨てのモジュールであってもよい。
【００５２】
（変形例２）
図２の例では、ベース部１４上に形成された回路部１３が、カバーシート１２に重なるように貼り付けられていた。これに代えて、カバーシート１２と回路部１３とは、一体に成形されていてもよい。この場合、開封検出シート１は、ベース部１４を有しなくともよい。
【００５３】
（変形例３）
図４の構成例では、開封検出システム１００は、左側の収容部１０Ａ〜１０Ｆの開封を検出する構成と、右側の収容部１０Ｇ〜１０Ｌの開封を検出する構成とをそれぞれ有していた。これに代えて、開封検出システム１００は、全ての収容部１０Ａ〜１０Ｌを検出対象とする構成を有してもよい。
【００５４】
図７は、変形例に係る回路部１３Ｂの概要図である。図７の例では、図４の導線３０Ｌと導線３０Ｒとが接続されており、各収容部１０Ａ〜１０Ｌに対応する回路部１３Ｂの単位構成が全て直列に接続している。この場合であっても、開封検出モジュール２は、端子３０ＬＴ又は端子３０ＲＴから定電流源２５により回路部１３Ｂに電流を供給し、他方の端子３０ＬＴ又は端子３０ＲＴを基準電位点とした状態で、Ａ／Ｄコンバータ２６が出力する検出電圧Ｅｓを監視する。このように、図７の例では、回路部１３の単位構成が直列に接続された構造が回路部１３内に１つ存在する。これにより、開封検出モジュール２は、収容部１０の開封を好適に検出することができる。
【符号の説明】
【００５５】
１、１Ａ、１Ｂ…開封検出シート
２…開封検出モジュール
３…親機
４…サーバ装置
５…ネットワーク
１０…収容部
１３、１３Ａ、１３Ｂ…回路部
１００…開封検出システム
【図１】
2016214732.tif 000003
【図２】
2016214732.tif 000004
【図３】
2016214732.tif 000005
【図４】
2016214732.tif 000006
【図５】
2016214732.tif 000007
【図６】
2016214732.tif 000008
【図７】
2016214732.tif 000009